(57)【要約】【課題】使用した後に、クリップを外に出してポケットへ収容する際、又はクリップと本体との間に、本、ノートによる紙片に挟み込みを行う際、自動的に先端におけるインクパイプ又は芯の退没が可能となるような改良型ノック式筆記用具、又はノック式棒状化粧用具の構成を提供すること。【解決手段】外側筒状部３内のインクパイプ、又は芯４に対する保持具と接続され、押圧スプリングによって後方に付勢され、かつ外側方向への曲げ弾性を有している係止棒２を設け、外側筒状部３の内、クリップ１の内側に相当する位置の少なくとも一部に細長孔３１を設け、クリップ１の内側面に係止棒２の先端と係止し、該係止棒２の後退を阻止することによって、インクパイプ、又は芯４の先端における突出状態を保持するための内側突起１１を設け、該係止棒２の中途部位に、クリップ１の内側面と当接し、前記係止状態を開放し得る外側突起２１を設け、ポケットへの収容又は紙片への挟み込みに際し、インクパイプ、又は芯４の退没が自動的に実現し得るようなノック式筆記用具、及びノック式棒状化粧用具。【選択図】          図３
2004237661.tif 000002
【特許請求の範囲】
【請求項１】
側部にクリップを有し、後端部にノックを有している筆記用具又は棒状の化粧用具において、外側筒状部内のインクパイプ、又は芯に対する保持具と接続され、押圧スプリングによって後方に付勢され、かつ外側方向への曲げ弾性を有している係止棒を設け、外側筒状部の内、クリップの内側に相当する位置の少なくとも一部に細長孔を設け、クリップの内側面に係止棒の先端と係止し、該係止棒の後退を阻止することによって、インクパイプ、又は芯の先端における突出状態を保持するための内側突起を設け、該係止棒の中途部位において、クリップの内側面と当接し、前記係止状態を開放し得る外側突起を設け、該係止棒の最後端の位置を確保するためのストッパを備えていることに基づくノック式筆記用具、及びノック式棒状化粧用具。
【請求項２】
クリップの内側突起の前後において、左右両側において枠を設け、当該枠が内側突起の存在位置を頂点として、前後方向になだらかに湾曲した形状であり、内側突起の前側面が略平坦形状であることを特徴とする請求項１記載のノック式筆記用具、及びノック式棒状化粧用具。
【請求項３】
細長孔の後端が係止棒の外側突起と当接することによって、ストッパに該当することを特徴とする請求項１記載のノック式筆記用具、及びノック式棒状化粧用具。
【発明の詳細な説明】
【０００１】
【発明の属する技術分野】
本発明は、クリップを有しているノック式筆記用具及びノック式棒状化粧用具において、インクパイプ、又は芯の先端における突出及び退没を実現する構成の改良に関するものである。
【０００２】
【従来の技術】
ノック式筆記用具、及びノック式棒状化粧用具の先端における芯の突出及び退没に関する機構については、様々な構成が採用されている。
【０００３】
上記構成においては、後端のノック（押圧部）によって、インクパイプ、又は芯を前方に移動させ、先端において突出させた後、押圧バネの後側への付勢に対抗してインクパイプ、又は芯を保持すると共に、当該保持状態を開放した後、インクパイプ、又は芯を後退させて、インクパイプ、又は芯の先端における退没を実現させるという基本原理において共通しているが、当該基本原理を実現するための具体的な設計においてそれぞれ相違している。
【０００４】
前記保持状態を開放するために、クリップを内側方向に弾性的に押圧する方式が従来技術として提唱されている。
【０００５】
前記方式においては、外側筒状部の内、クリップの内側に位置する位置の少なくとも一部に細長孔を設け、インクパイプ、又は芯の保持具と接続され、かつ押圧バネによって後側に付勢されている係止棒を設け、当該係止棒は、ノックの押圧によって前側に移動した後、自ら有している曲げ弾性に基づいて外側に突出することによって当該細長孔に嵌合し、かつ係止棒の先端部分が細長孔の後端部に係止することによって押圧バネの後方への付勢に対抗し、かつインクパイプ、又は芯の先端における突出状態を保持すると共に、クリップを内側に押圧することによって、該係止棒による前記係止関係を開放している。
【０００６】
上記従来技術は、係止棒の後退、ひいては、インクパイプ、又は芯の先端における退没をクリップの押圧によって実現し得る点に特徴を有している。
【０００７】
但し、前記従来技術の構成においては、先端における退没を実現するためには、必ずクリップを内側に押すことを必要としており、例えばクリップを外側とし本体を内側としたうえでポケットに収納する際、自動的に前記退没を実現することはできない。
【０００８】
【発明が解決しようとする課題】
本発明は、前記従来技術をさらに改良し、クリップを押圧した場合だけでなく、クリップと本体との間にポケット、紙などの変形自在であって薄い平面素材を挿入した場合にも、自動的に先端における退没が実現し得るような構成による改良型ノック式筆記用具、及びノック式棒状化粧用具の構成を提供することを課題としている。
【０００９】
【課題を解決するための手段】
前記課題を解決するため、本発明の構成は、側部にクリップを有し、後端部にノックを有している筆記用具又は棒状の化粧用具において、外側筒状部内のインクパイプ、又は芯に対する保持具と接続され、押圧スプリングによって後方に付勢され、かつ外側方向への曲げ弾性を有している係止棒を設け、外側筒状部の内、クリップの内側に相当する位置の少なくとも一部に細長孔を設け、クリップの内側面に係止棒の先端と係止し、該係止棒の後退を阻止することによって、インクパイプ、又は芯の先端における突出状態を保持するための内側突起を設け、該係止棒の中途部位において、クリップの内側面と当接し、前記係止状態を開放し得る外側突起を設け、該係止棒の最後端の位置を確保するためのストッパを備えていることに基づくノック式筆記用具、及びノック式棒状化粧用具からなる。
【００１０】
【発明の実施の形態】
本発明は、図３に示すように、基本的構成態様として、外側筒状部３において、クリップ１の内側に軸方向に沿って細長孔３１を設けると共に、外側筒状部３の内側において前側の押圧バネ７によって後方に付勢され、自ら外側への曲げ弾性を有している係止棒２を設けており、かつ当該係止棒２がインクパイプ、又は芯４の保持具９と接続されていることにおいて、本発明は、従来技術の項において説明した具体例の場合と共通している。
【００１１】
但し、係止棒２の先端が係止し合う対象は、図３（ａ）に示すように、クリップ１の中途部位に設けた内側突起１１であって、細長孔３１の後端を係止の対象としている前記具体例と明らかに相違している。
【００１２】
後端のノック５を前方に押圧することによって、インクパイプ、又は芯４、及びこれらの収容部（インクパイプタンク６、芯タンク６など）は、前方に移動し、インクパイプ、又は芯４に対する保持具９を介して、係止棒２もまた前方に移動するが、当該移動に伴って、係止棒２は自ら有している外方向への曲げ弾性によって、その先端及びその付近は、移動に際し細長孔３１又はその外側に突出することになる。
【００１３】
したがって、前方に移動した後、前側の押圧バネ７によって係止棒２がインクパイプ、又は芯４などと共に後退する場合には、係止棒２の先端は、図３（ａ）に示すように、クリップ１の内側突起１１と係止し、更なる後退を阻止され、インクパイプ、又は芯４の先端における突出状態を維持することができる。
【００１４】
インクパイプ、又は芯４を更に後退させることによって、先端における退没を行うためには、図３（ｂ）に示すように、クリップ１を内側に押圧し、クリップ１の内側と係止棒２の中途部位における外側突起２１とを接触させたうえで、係止棒２を内側に移動させ、クリップ１の内側突起１１と係止棒２の先端部分との係止を開放させたうえで、押圧バネ７の付勢によって係止棒２は更に後退し、ひいてはインクパイプ、又は芯４もまた、更に後退することになる。
【００１５】
前記更なる後退によって、先端におけるインクパイプ、又は芯４の退没が実現した段階では、図３（ｃ）に示すように、ストッパ８によって最後端の位置を確保するためのストッパ８が設けられているが、当該ストッパ８は、要するに係止棒２の何れかの位置と当接し、押圧バネ７による後方への付勢に対抗して、係止棒２を支える設計であれば良く、特に当該ストッパ８の構成は限定される訳ではない（図３（ｃ）では、外側筒状部３の内側に設けた突起をストッパ８としている。）。
【００１６】
本発明においては、図３（ｂ）に示すように、クリップ１の内側への押圧によって、前記係止関係を開放するだけでなく、図３（ｄ）に示すように、クリップ１と外側筒状部３との間に紙、布などの折り曲げ自在な平面素材を挿入した場合には、当該素材は、必然的にクリップ１の内側突起１１と係止棒２の先端との係止が行われている部位に突入し、更には当該係止関係を開放したうえで、更に後方側に移動することが可能である。
【００１７】
即ち、インクパイプ、又は芯４の先端部分における突出状態による本来の使用を行った後、クリップ１を外に出した状態にて本体をポケットに収容する際、ポケットの布片の突入によって前記係止関係を解消する場合、又はクリップ１と本体との間に本又はノートなどの紙片を挟ませた際、当該紙片の突入により前記係止関係を解消する場合には、自動的にインクパイプ、又は芯４の先端における退没を実現することができる。
【００１８】
以下、実施例に即して説明する。
【００１９】
【実施例１】
実施例１は、図１に示すように、クリップ１の内側突起１１の前後において、左右両側において枠１２を設け、当該枠１２が内側突起１１の存在位置を頂点として、前後方向になだらかに湾曲した形状であり、内側突起１１の前側面が略平坦形状であることを特徴としている。
【００２０】
即ち、実施例１においては、前記平面素材は、内側突起１１の前側のなだらかな湾曲部分を介して、内側突起１１と係止棒２の先端部位との間に突入することができ、前記自動的な係止片の解消、ひいては先端におけるインクパイプ、又は芯４の退没をスムーズに実現することができる。
【００２１】
しかも、平面素材がクリップ１と本体との間に挟まれた状態を解消するために、元の方向に移動させる場合には、後側のなだらかな湾曲部分を介して、前記元の方向への移動をスムーズに実現させることができる。
【００２２】
【実施例２】
実施例２は、図２に示すように、細長孔３１の後端が係止棒２の外側突起２１と当接することによって、ストッパ８に該当することを特徴としている。
【００２３】
即ち、実施例２においては、係止棒２の外側突起２１に対し細長孔３１の後端部が当接することによって、ストッパ８としての機能を果たしており、図３に示す実施形態の場合のように、特にストッパ８としての部品を、更に設計する必要がない点において優れている。
【００２４】
【発明の効果】
以上のような本発明においては、インクパイプ、又は芯を先端部にて突出させた状態にて使用した後、クリップを外に出してポケットに収容する場合、又はクリップと本体との間に本、ノートなどの紙片の間に挿入する場合に、自動的にインクパイプ、又は芯の先端における退没を実現することができ、極めて便利である。
【００２５】
このように、本発明は、従来技術には存在しなかった効果を発揮し得るので、その価値は絶大である。
【図面の簡単な説明】
【図１】実施例１によるクリップの構成を示しており、（ａ）は左右方向側面図であり、（ｂ）は内側方向からの側面図である。
【図２】実施例２によるストッパの構成を示す側断面図である。
【図３】本発明の基本構成を示しており、（ａ）は、クリップの内側突起と、係止棒の先端とが係止した状態を示す側断面図であり、（ｂ）は、前記係止関係が開放された状態を示す側断面図であり、（ｃ）は、前記開放が行われた後、ストッパによって係止棒の後退が確定した状態を示す側断面図であり、（ｄ）は、薄片素材の突入によって、前記（ａ）に示す係止関係が開放された状態を示す側断面図である。
【符号の説明】
１  クリップ
１１  内側突起
１２  クリップの両側枠
２  係止棒
２１  外側突起
３  外側筒状部
３１  細長孔
４  インクパイプ、又は芯
５  ノック
６  インクパイプタンク、又は芯タンク
７  押圧バネ
８  ストッパ
９  保持具
【図１】
2004237661.tif 000003
【図２】
2004237661.tif 000004
【図３】
2004237661.tif 000005